(57)【要約】      （修正有）【課題】錠剤と錠剤を包装するシートとが一緒に抜けない錠剤取り出し器を提供する。【解決手段】細長い開口２を有する台部３と、台部を覆うように閉じると開口を塞ぐ凸部４を有する蓋部５と、蓋部が閉じた際に開口と重なる位置に設けられた細長い貫通孔６を有し、台部と蓋部との間に配置された補助部材７とを有し、包装シートが一緒に抜けないようにした。【選択図】図６
0003202517.tif 000002
【実用新案登録請求の範囲】
【請求項１】
細長い開口を有する台部と、台部を覆うように閉じると開口を塞ぐ凸部を有する蓋部と、台部を覆うように閉じると開口を塞ぐ凸部を有する蓋部と、蓋部が閉じた際に開口と重なる位置に設けられた細長い貫通孔を有し、台部と蓋部との間に配置された補助部材とを有することを特徴とする請求項１記載の錠剤取り出し器。
【請求項２】
前記補助部材の中間に細長い刃部を有することを特徴とする錠剤取り出し器。
【請求項３】
前記台部の中間部付近いバネ板が横に広がるバネ部材を有することを特徴とする請求項１又は２記載の錠剤取り出し器。
【考案の詳細な説明】
【技術分野】
【０００１】
本考案は、錠剤取り出し器に係り、詳記すれば、錠剤と錠剤を包装するシートとが一緒に抜けないようにした錠剤取り出し器に関する。
【背景技術】
【０００２】
錠剤の包装容器は、収納されている錠剤を目視可能な透明な錠剤収容部と、錠剤を目視不可能な不透明な底部とからなる。このような包装容器に対して、指で収容部を底部方向に力を加えて、収納されている錠剤が底部を破ることによって、錠剤を取り出す。しかし、指の不自由なユーザにとっては、錠剤を取り出しにくい場合があった。そこで、錠剤を容易に取り出せるように、本考案者は、先に錠剤取り出し器を開発し、既に実用新案登録されている（特許文献１）。
【０００３】
図１は、特許文献１に記載の錠剤取り出し器を示すものであり、錠剤取り出し器１は、開口２を有する台部３と、台部３を覆うように閉じると開口２を塞ぐ凸部４を有する蓋部５と、蓋部５が閉じた際に開口２と重なる位置に設けられた貫通孔６を有し、台部３と蓋部５との間に配置された補助部材７とを有する。
【先行技術文献】
【特許文献】
【０００４】
【特許文献１】実用新案登録第３１８８１３２号
【考案の概要】
【考案が解決しようとする課題】
【０００５】
特許文献１に記載の錠剤押し出し器によると、開口２が丸い形状であったため、錠剤と錠剤を包装するシートとが一緒に抜けて、誤ってシートも一緒に飲み込むトラブルが発生している。そればかりか、これでは、錠剤を二つに割って飲むことはできなかった。
【０００６】
この考案のうち請求項１に記載の考案は、錠剤と錠剤を包装するシートとが一緒に抜けない錠剤取り出し器を提供することを目的とする。
また、この考案のうち請求項２に記載の考案は、錠剤を容易に二つ割にできる錠剤取り出し器を提供することを目的とする。
【課題を解決するための手段】
【０００７】
上記目的に沿う請求項１に記載の考案は、細長い開口を有する台部と、台部を覆うように閉じると開口を塞ぐ凸部を有する蓋部と、台部を覆うように閉じると開口を塞ぐ凸部を有する蓋部と、蓋部が閉じた際に開口と重なる位置に設けられた細長い貫通孔を有し、台部と蓋部との間に配置された補助部材とを有する。
また、請求項２に記載の考案は、前記補助部材の中間に細長い刃部を有する。
更に請求項３に記載の考案は、前記台部の中間部付近いバネ板が横に広がるバネ部材を有する。
【考案の効果】
【０００８】
本考案の請求項１に記載の考案によれば、錠剤と錠剤を包装するシートとが一緒に抜けない効果がある。
また、本考案の請求項２に記載の考案によれば、錠剤を容易に二つ割りにできる効果がある。
更に請求項３に記載の考案によれば、大小の錠剤の設定ができる。
【図面の簡単な説明】
【０００９】
【図１】本考案の従来技術を示す図である。
【図２】本考案の蓋部を示す斜視図である。
【図３】本考案の補助部材を示す平面図である。
【図４】本考案の台部を示す斜視図である。
【図５】図５は、本考案の台部３の側面図である。
【図６】本考案の錠剤取り出し器の蓋部を上げた状態の斜視図である。
【符号の説明】
【００１０】
1・・・・・・・・錠剤取り出し器
２・・・・・・・・開口
３・・・・・・・・台部
４・・・・・・・・凸部
５・・・・・・・・蓋部
６・・・・・・・・貫通孔
７・・・・・・・・補助部材
８・・・・・・・・側面板
８´・・・・・・・側面板
９・・・・・・・・ビス穴
１０・・・・・・・ビス
１１・・・・・・・刃部
１２，１２´・・・バネ板
１３・・・・・・・バネ部材
１４・・・・・・・緩衝部材
【考案を実施するための形態】
【００１１】
図２は、本考案の錠剤取り出し器の蓋部を示す図である。蓋部５の裏面には、一端に２個の円柱状凸部４と、他端に蓋部５が上下動し得るように台部３の下方に向けた側面板８´と連結する下方に向けた側面板８が設けられている。図中９は、側面板８と８´とが上下動し得るように連結するビス穴９である。ビス１０を挿入するビス穴９にビスを挿入して連結するようになっている。蓋部５は、台部３を覆うように閉じると開口２を塞ぐ凸部４を有する。蓋部５は、ビス１０を軸に台部３を覆うように閉じたり、台部から離れるように開くことができる。中間部付近に縦に細長い錠剤を二つ割にする刃部１１を有する。
【００１２】
図３は、本考案の錠剤取り出し器の補助部材７を示す図である。一端に楕円形の開口２を有し、多端にビス穴９を有し、中間部付近に、刃部１１を通す縦に長い長方形の貫通孔１７を有する。
【００１３】
図４は、台部３の斜視図であり、一端に楕円形の開口２を有し、多端にビス穴９を有する上方に向けた側面板係合部材８´を有し、中間部付近にバネ板１２，１２´が横に７〜１２ｍｍ広がるバネ部材１３を有する。
【００１４】
図５は、台部３の側面図であり、一端に楕円形の開口２を有し、多端にビス穴９を有する上方に向けた側面板係合部材８´を有し、中間部付近にバネ板１２，１２´が横に広がるバネ部材１３を有する。これによって、大小の錠剤の設定ができる。
図６は、本考案の錠剤取り出し器の蓋部５を開いた状態の斜視図である。
【００１５】
補助部材７は、ユーザーが錠剤を包装容器から取り出すのを補助する部材であり、取り付け部材によって、蓋部５に取り付けられている。取り付け部材は、補助部材７の端部を挟み、且つ蓋部５に接着され、弾性を有する。      
緩衝部材１４は、その端部が蓋部５に接着され、補助部材７と蓋部５との間に配置される。
【００１６】
上述した楕円状の貫通孔６は、取り付け部材が挟む補助部材７の端部から離れて、反対側の端部に近い位置に設けられる。上述したように、貫通孔６は、蓋部５が閉じた際に開口２と重なる位置に設けられる。
【００１７】
蓋部５及び補助部材７が台部３を覆うように閉じると、凸部４が貫通孔６及び開口２を塞ぐ。蓋部５が開いているときは、弾性を有する緩衝部材１４が、補助部材７の蓋部５に面した面を押すため、補助部材７は、緩衝部材１４によって、蓋部５との間に一定程度の隙間を設けることができる。この隙間を設けることによって、錠剤を包装した包装容器を貫通孔６に設定する作業を行いやすくすることができる。
【００１８】
ユーザによって、補助部材７の貫通孔６に錠剤を包装した包装容器が設定されると、蓋部５が閉じた際に、凸部４が包装容器を開口２に向けて押し出すことによって、錠剤が、包装容器の底部を破って貫通孔６を通過し、開口２を介して包装容器より取り出される。貫通孔６を通過した錠剤が開口２に衝突しないよう、貫通孔６の幅は、開口２の幅以下であることが好ましい。凸部４によって錠剤が貫通孔６を通過して開口２へ押し出されるように、貫通孔６の幅は、前記凸部の幅以上であることが好ましい。
【００１９】
錠剤を包装した包装容器は、収納されている錠剤を目視可能な透明な錠剤収容部と、錠剤を目視不可能な不透明な底部とからなる。ユーザは、補助部材１３の下側（台部３および開口２に面する側）から貫通孔に包装容器の錠剤収容部をくぐらせ、包装容器の底部が補助部材の下面に接するように設定する。貫通孔の幅は、包装容器の錠剤収容部の幅以上であって、かつ包装容器の底部の幅以下であることが好ましい。こうして設定された包装容器の錠剤収容部の頂面は、蓋部の凸部と対向する。
【００２０】
蓋部が閉じられることによって、蓋部の凸部が包装容器の錠剤収容部の頂面を台部の開口に向けて押し出し、錠剤が、包装容器の底部を破って補助部材の貫通孔を通過し、開口を介して包装容器より取り出される。
本考案の錠剤取り出し器の特徴は、丸型の大中小の錠剤及び楕円形の大中小の錠剤を簡単に抜けて、包み紙が錠剤に付いてこないようにしたことである。
【００２１】
本実施の形態における錠剤取り出し器は、開口を有する台部、凸部を有する貫通孔を有する蓋部及び補助部材を有する。蓋部及び補助部材が台部を覆うように閉じると、凸部が貫通孔および開口を塞ぐ位置に、凸部、貫通孔及び開口は設けられている。ユーザが補助部材の貫通孔に錠剤を包装した包装容器を設定することによって、錠剤を開口の直上に位置させるための位置決めを正確かつ容易に行うことができるという効果を奏する。したがって、蓋部及び補助部材が台部を覆うように閉じることによって、蓋部の凸部が錠剤を押し出して、錠剤が、包装容器の底部を破って補助部材の貫通孔を通過し、開口を介して包装容器より
安定して容易かつ確実に取り出される。錠剤が開口を介して包装容器より取り出される際に開口の縁に衝突しないため、錠剤が欠損することが無く、衝突の際に巻き込まれて破断した包装容器の底部の一部が錠剤に混入して取り出されることも無い。
【００２２】
本実施の形態における錠剤取り出し器において、補助部材は、取り付け部材によって蓋部に取り付けられている。しかし、補助部材は、台部に取り付けられることとしてもよい。その場合、緩衝部材は設けられなくてもよい。
【００２３】
以上の説明はあくまで一例であり、上述した実施の形態の構成に何ら限定されるものではない。
【図１】
0003202517.tif 000003
【図２】
0003202517.tif 000004
【図３】
0003202517.tif 000005
【図４】
0003202517.tif 000006
【図５】
0003202517.tif 000007
【図６】
0003202517.tif 000008
【手続補正書】
【提出日】平成27年11月26日(2015.11.26)
【手続補正１】
【補正対象書類名】実用新案登録請求の範囲
【補正対象項目名】請求項１
【補正方法】変更
【補正の内容】
【請求項１】
細長い開口を有する台部と、台部を覆うように閉じると開口を塞ぐ凸部を有する蓋部と、蓋部が閉じた際に開口と重なる位置に設けられた細長い貫通孔を有し、台部と蓋部との間に配置された補助部材とを有することを特徴とする錠剤取り出し器。
【手続補正２】
【補正対象書類名】実用新案登録請求の範囲
【補正対象項目名】請求項２
【補正方法】変更
【補正の内容】
【請求項２】
前記補助部材の中間に細長い刃部を有することを特徴とする請求項１記載の錠剤取り出し器。
【手続補正３】
【補正対象書類名】実用新案登録請求の範囲
【補正対象項目名】請求項３
【補正方法】変更
【補正の内容】
【請求項３】
前記台部の中間部付近にバネ板が横に広がるバネ部材を有することを特徴とする請求項１又は２記載の錠剤取り出し器。
【手続補正４】
【補正対象書類名】明細書
【補正対象項目名】０００７
【補正方法】変更
【補正の内容】
【０００７】
上記目的に沿う請求項１に記載の考案は、細長い開口を有する台部と、台部を覆うように閉じると開口を塞ぐ凸部を有する蓋部と、蓋部が閉じた際に開口と重なる位置に設けられた細長い貫通孔を有し、台部と蓋部との間に配置された補助部材とを有する。
また、請求項２に記載の考案は、前記補助部材の中間に細長い刃部を有する。
更に請求項３に記載の考案は、前記台部の中間部付近にバネ板が横に広がるバネ部材を有する。